(57)【要約】【課題】端子収容室内における端子保持力を向上することができるコネクタを提供する。【解決手段】端子収容室が設けられたハウジングと、端子収容室に収容され端子接続部７と電線接続部１１とを有する端子１３と、端子収容室に撓み可能に設けられ係止部を有する係止ランスとを備えたコネクタにおいて、端子接続部７に、板部１９を設け、板部１９に、穴部２１を設け、穴部２１の縁部に、係止部に係合可能な係合面２３を設け、穴部２１の係合面２３の両側の縁部に、穴部２１の内部に向けて傾斜された一対の面取り部２５，２５を設け、係合面２３の一対の面取り部２５，２５が位置する部分に、係止部と端子収容室からの端子１３の離脱方向に係合可能な一対の増幅係合面２７，２７を設けた。【選択図】図７
2018206511.tif 000002
【特許請求の範囲】
【請求項１】
端子収容室が設けられたハウジングと、
前記端子収容室に収容され相手端子に接続される端子接続部と前記ハウジングの外部に引き出される電線の端末部に接続される電線接続部とを有する端子と、
前記端子収容室に撓み可能に設けられ自由端側に前記端子接続部を係止する係止部を有する係止ランスと、
前記端子接続部に設けられ前記係止ランスと対向して配置される板部と、
前記板部に設けられ前記係止部を挿入可能な穴部と、
前記穴部の前記端子収容室への前記端子の挿入方向の縁部に設けられ前記係止部と前記端子収容室からの前記端子の離脱方向に係合可能な係合面と、
前記穴部の係合面の両側の縁部に設けられ前記穴部の内部に向けて傾斜された一対の面取り部と、
前記係合面の一対の前記面取り部が位置する部分に設けられ前記係止部と前記端子収容室からの前記端子の離脱方向に係合可能な一対の増幅係合面と、
を有することを特徴とするコネクタ。
【請求項２】
請求項１記載のコネクタであって、
前記板部には、前記係止ランス側に向けて係止突起が突設され、
前記係止突起には、前記係合面が位置する部分に前記係止部と前記端子収容室からの前記端子の離脱方向に係合可能な突起係合面が設けられていることを特徴とするコネクタ。
【発明の詳細な説明】
【技術分野】
【０００１】
本発明は、コネクタに関する。詳細には、端子収容室に収容される端子を係止する係止ランスを有するコネクタに関する。
【背景技術】
【０００２】
従来、コネクタとしては、端子収容室が設けられたハウジングと、端子収容室に収容され相手端子に接続される端子接続部とハウジングの外部に引き出される電線の端末部に接続される電線接続部とを有する端子と、端子収容室に撓み可能に設けられ自由端側に端子接続部を係止する係止部を有する係止ランスとを備えたものが知られている（例えば、特許文献１参照）。
【０００３】
このコネクタでは、端子が、端子接続部に設けられ係止ランスと対向して配置される板部としての底面と、底面に設けられ係止部を挿入可能な穴部としての係止孔と、係止孔の端子収容室への端子の挿入方向の縁部に設けられ係止部と端子収容室からの端子の離脱方向に係合可能な係合面とを有する。
【０００４】
このようなコネクタでは、電線に引張力が加わったときに、端子の係止孔の縁部における底面が、係止ランスの係止部に設けられた規制部と当接することにより、係止ランスの反り返りを防止し、係止ランスの係止部における端子の係合面との係合による剪断面積を保持している。
【先行技術文献】
【特許文献】
【０００５】
【特許文献１】特開２０１３−２０６６６７号公報
【発明の概要】
【発明が解決しようとする課題】
【０００６】
ところで、上記特許文献１のようなコネクタでは、端子の係合面の両側に位置する穴部の縁部における板部が、平面で形成されている。
【０００７】
このようなコネクタにおいて、穴部に挿入される係止ランスの係止部と、この係止部と係合する係合面との当接面積、すなわち剪断面積を稼ぐためには、係止ランスの反り返り防止機能を維持するため、穴部の縁部を広げることができず、係止ランスの撓み方向にしか増大させることができなかった。
【０００８】
このため、係止ランスの係止部と端子の係合面との当接面積を十分に確保することができず、電線の引張りによる剪断力によって係止部に破損が発生する可能性があり、端子収容室内における端子保持力が低下する恐れがあった。
【０００９】
そこで、この発明は、端子収容室内における端子保持力を向上することができるコネクタの提供を目的としている。
【課題を解決するための手段】
【００１０】
請求項１記載の発明は、端子収容室が設けられたハウジングと、前記端子収容室に収容され相手端子に接続される端子接続部と前記ハウジングの外部に引き出される電線の端末部に接続される電線接続部とを有する端子と、前記端子収容室に撓み可能に設けられ自由端側に前記端子接続部を係止する係止部を有する係止ランスと、前記端子接続部に設けられ前記係止ランスと対向して配置される板部と、前記板部に設けられ前記係止部を挿入可能な穴部と、前記穴部の前記端子収容室への前記端子の挿入方向の縁部に設けられ前記係止部と前記端子収容室からの前記端子の離脱方向に係合可能な係合面と、前記穴部の係合面の両側の縁部に設けられ前記穴部の内部に向けて傾斜された一対の面取り部と、前記係合面の一対の前記面取り部が位置する部分に設けられ前記係止部と前記端子収容室からの前記端子の離脱方向に係合可能な一対の増幅係合面とを有することを特徴とするコネクタである。
【００１１】
このコネクタでは、穴部の係合面の両側の縁部に、穴部の内部に向けて傾斜された一対の面取り部が設けられているので、一対の面取り部によって電線に引張力が加わったときの係止ランスの反り返りを防止しつつ、係止部を係合面の一対の面取り部が位置する部分に配置することができる。
【００１２】
この係合面の一対の面取り部が位置する部分には、係止部と端子収容室からの端子の離脱方向に係合可能な一対の増幅係合面が設けられているので、係止部と係合面との当接面積を増大することができ、電線の引張力に対する剪断面積を増大することができる。
【００１３】
従って、このようなコネクタでは、係止部と係合面との当接面積を増大し、電線の引張りによる剪断力によって係止部に破損が発生することを防止でき、端子収容室内における端子保持力を向上することができる。
【００１４】
請求項２記載の発明は、請求項１記載のコネクタであって、前記板部には、前記係止ランス側に向けて係止突起が突設され、前記係止突起には、前記係合面が位置する部分に前記係止部と前記端子収容室からの前記端子の離脱方向に係合可能な突起係合面が設けられていることを特徴とする。
【００１５】
このコネクタでは、係止突起に、係合面が位置する部分に係止部と端子収容室からの端子の離脱方向に係合可能な突起係合面が設けられているので、係止部と係合面との当接面積をさらに増大することができ、端子収容室内における端子保持力をさらに向上することができる。
【発明の効果】
【００１６】
本発明によれば、端子収容室内における端子保持力を向上することができるコネクタを提供することができるという効果を奏する。
【図面の簡単な説明】
【００１７】
【図１】本発明の実施の形態に係るコネクタの分解斜視図である。
【図２】本発明の実施の形態に係るコネクタの断面図である。
【図３】本発明の実施の形態に係るコネクタのハウジングの断面図である。
【図４】本発明の実施の形態に係るコネクタのハウジングの一部を断面とした正面図である。
【図５】図４の要部拡大図である。
【図６】（ａ）は本発明の実施の形態に係るコネクタの端子の上面図である。（ｂ）は本発明の実施の形態に係るコネクタの端子の側面図である。
【図７】本発明の実施の形態に係るコネクタの端子の斜視図である。
【図８】本発明の実施の形態に係るコネクタの電線に引張力が加わったときの係止ランスの断面図である。
【図９】本発明の実施の形態に係るコネクタの断面図である。
【図１０】本発明の実施の形態に係るコネクタの電線に引張力が加わったときの断面図である。
【発明を実施するための形態】
【００１８】
図１〜図１０を用いて本発明の実施の形態に係るコネクタについて説明する。
【００１９】
本実施の形態に係るコネクタ１は、端子収容室３が設けられたハウジング５と、端子収容室３に収容され相手端子に接続される端子接続部７とハウジング５の外部に引き出される電線９の端末部に接続される電線接続部１１とを有する端子１３と、端子収容室３に撓み可能に設けられ自由端側に端子接続部７を係止する係止部１５を有する係止ランス１７とを備えている。
【００２０】
また、端子接続部７には、係止ランス１７と対向して配置される板部１９が設けられ、板部１９には、係止部１５を挿入可能な穴部２１が設けられ、穴部２１の端子収容室３への端子１３の挿入方向の縁部には、係止部１５と端子収容室３からの端子１３の離脱方向に係合可能な係合面２３が設けられている。
【００２１】
そして、穴部２１の係合面２３の両側の縁部には、穴部２１の内部に向けて傾斜された一対の面取り部２５，２５が設けられ、係合面２３の一対の面取り部２５，２５が位置する部分には、係止部１５と端子収容室３からの端子１３の離脱方向に係合可能な一対の増幅係合面２７，２７が設けられている。
【００２２】
また、板部１９には、係止ランス１７側に向けて係止突起２９が突設され、係止突起２９には、係合面２３が位置する部分に係止部１５と端子収容室３からの端子１３の離脱方向に係合可能な突起係合面３１が設けられている。
【００２３】
図１〜図１０に示すように、ハウジング５は、合成樹脂などの絶縁性材料からなり、相手ハウジング（不図示）と嵌合可能となっている。
【００２４】
このハウジング５には、相手ハウジングとの嵌合状態を保持するロック部３３を有するロックアーム３５が撓み可能に設けられ、ロック部３３が相手ハウジングに設けられた被ロック部（不図示）と係合することにより、相手ハウジングとハウジング５との嵌合状態が保持される。
【００２５】
なお、ロックアーム３５の自由端側には、操作部３７が設けられ、操作部３７を押圧することにより、ロックアーム３５が撓まされ、ロック部３３と被ロック部との係合を解除し、相手ハウジングとハウジング５との嵌合状態を解除することができる。
【００２６】
このようなハウジング５には、複数の端子収容室３が設けられ、相手ハウジングと嵌合することにより、相手ハウジングに収容された複数の相手端子（不図示）と複数の端子収容室３に収容された複数の端子１３とが電気的に接続される。
【００２７】
端子収容室３は、ハウジング５の内部にハウジング５の長さ方向に沿って形成され、ハウジング５の幅方向に複数（ここでは３つ）が並列に配置されている。
【００２８】
この端子収容室３は、長さ方向の一端側が端子１３を内部に挿入させる挿入開口３９となっており、長さ方向の他端側が内部に収容された端子１３に接続される相手端子の雄型のタブ状の接続部（不図示）が挿入される接続開口４１となっている。
【００２９】
このような複数の端子収容室３には、長さ方向の一端側の挿入開口３９からそれぞれ複数の端子１３が収容される。
【００３０】
端子１３は、導電性材料からなる１枚の板材に対して、打ち抜き加工や折り曲げ加工などを施すことによって、電線接続部１１と、端子接続部７とが連続する一部材で形成されている。
【００３１】
電線接続部１１は、被覆圧着部４３と、芯線圧着部４５とを備えている。
【００３２】
被覆圧着部４３は、一対の加締め片からなり、電源や機器などに接続された電線９の端末部において、電線９の被覆部を加締める。
【００３３】
この被覆圧着部４３を電線９の被覆部に加締めることにより、端子１３が電線９に固定される。
【００３４】
芯線圧着部４５は、端子接続部７と被覆圧着部４３との間に設けられた一対の圧着片からなり、電線９の端末部において、電線９の被覆部から露出された芯線部を加締めて圧着される。
【００３５】
この芯線圧着部４５を電線９の芯線部に圧着させることにより、端子１３が電線９に電気的に接続される。
【００３６】
端子接続部７は、底壁が電線接続部１１と連続する一部材で形成され、両側壁と上壁である板部１９とを折り曲げ加工によって箱状に形成された雌型の接続部からなる。
【００３７】
この端子接続部７の内部には、端子接続部７と連続する一部材で自由端側に接点部（不図示）を有する弾性片（不図示）が、所定の付勢力を有するように弾性変形可能に設けられている。
【００３８】
このような端子接続部７には、長さ方向の一端側に開口が設けられ、この開口から内部に相手端子のタブ状の接続部が挿入され、弾性片の付勢力によって接点部がタブ状の接続部と接触することにより、端子１３と相手端子とが電気的に接続される。
【００３９】
このような箱状の端子接続部７を有する端子１３は、電線９の端末部に電線接続部１１を介して接続された状態で、端子収容室３の挿入開口３９から端子収容室３内に挿入され、挿入開口３９から電線９がハウジング５の外部に引き出される。
【００４０】
このように端子収容室３に収容された端子１３は、端子収容室３内に設けられた係止ランス１７に係止されることにより、端子収容室３の挿入開口３９からの抜け止めがなされる。
【００４１】
なお、端子１３の端子収容室３への挿入は、端子１３の端子接続部７の端面が端子収容室３の接続開口４１が設けられた壁部と当接することにより、端子収容室３への端子１３のそれ以上の挿入が規制される。
【００４２】
係止ランス１７は、基端側が端子収容室３の上下方向の一方の壁部と連続する一部材で形成され、自由端側が端子収容室３の内部に向けて傾斜し接続開口４１側に配置され、端子収容室３内の上下方向に撓み可能に設けられている。
【００４３】
この係止ランス１７の自由端側には、係止部１５が係止ランス１７と連続する一部材で端子収容室３の内部に向けて突設されている。
【００４４】
係止部１５は、係止ランス１７の自由端側で端子収容室３の壁部側から端子収容室３の内部側に向けて突設され、係止面４７と、一対の当接部４９，４９とを有している。
【００４５】
係止面４７は、係止部１５の係止ランス１７の自由端側の面（ここでは、図２の左側の面）に設けられている。
【００４６】
この係止面４７は、係止部１５の突出方向の先端から係止部１５の基部側（端子収容室３の内壁面側）に向けて僅かに電線９の引出方向に傾斜されている。
【００４７】
なお、係止面４７の基部側には、接続開口４１側に向けて係止ランス１７と連続する一部材で解除壁５１が延設され、この解除壁５１に解除治具（不図示）を当接させ、係止ランス１７を撓ませることにより、端子１３を端子収容室３の挿入開口３９から引き出すことができる。
【００４８】
一対の当接部４９，４９は、係止部１５の突出方向の先端側に設けられ、係止部１５の幅方向両側にそれぞれ配置されている。
【００４９】
この一対の当接部４９，４９は、係止部１５の突出方向の先端側の幅方向両側に位置する角部を面取りすることにより、係止部１５の突出方向の先端から幅方向両側に向けて傾斜されている。
【００５０】
このような係止面４７と一対の当接部４９，４９とを有する係止部１５は、端子１３が挿入開口３９から端子収容室３内に挿入されたときに、端子接続部７と摺動し、係止ランス１７を下方に向けて撓ませる。
【００５１】
この撓まされた係止ランス１７は、端子１３が端子収容室３の正規位置に位置したときに復元され、係止部１５が端子１３の端子接続部７の板部１９に設けられた穴部２１に挿入され、係止面４７が係合面２３と係合可能に配置される。
【００５２】
端子１３の板部１９は、端子接続部７を構成する係止ランス１７と対向する上壁となっており、平板状に形成されている。
【００５３】
この板部１９には、係止部１５を挿入可能な穴部２１と、係止部１５の係止面４７と係合可能な係合面２３と、一対の当接部４９，４９と係合可能な一対の面取り部２５，２５とが設けられている。
【００５４】
穴部２１は、板部１９の係止部１５と対向する部分に設けられ、板部１９を貫通する長方形状の孔部となっており、係止ランス１７が復元したときに、係止部１５が挿入可能となっている。
【００５５】
係合面２３は、穴部２１の端子収容室３への端子１３の挿入方向の縁部である穴部２１の長さ方向一端側の縁部に設けられている。
【００５６】
この係合面２３は、係止ランス１７が復元され、係止部１５が穴部２１に挿入されたときに、係止部１５の係止面４７と電線９の引出方向、すなわち端子収容室３からの端子１３の離脱方向に係合可能に対向して配置される。
【００５７】
このように係合面２３を係止部１５の係止面４７と係合可能に配置させることにより、電線９に引張力が加わったときに、係合面２３が係止面４７と当接し、端子収容室３からの端子１３の抜け止めを行うことができる。
【００５８】
この係合面２３と係止部１５の係止面４７が当接しているときに電線９に強い引張力が加わった場合、係止ランス１７の係止部１５側が電線９の引出方向に反り返り（図８参照）、係止部１５を電線９の引出方向に剪断したときの剪断面積が小さい部分に係合面２３が当接してしまう恐れがあった。
【００５９】
このように係止部１５の剪断面積が小さい部分に係合面２３が当接してしまうと、係止部１５に破損が発生し、端子収容室３内における端子保持力が低下してしまう。
【００６０】
そこで、端子接続部７の板部１９には、係止ランス１７の反り返りを規制するために、一対の面取り部２５，２５が設けられている。
【００６１】
一対の面取り部２５，２５は、係合面２３の両側に位置する穴部２１の幅方向両側の縁部にそれぞれ設けられ、穴部２１の縁部を面取りすることにより、穴部２１の縁部の外側から穴部２１の内側に向けて傾斜されている。
【００６２】
この一対の面取り部２５，２５は、係止ランス１７が復元されて係止部１５が穴部２１に挿入されるとき、係止部１５の一対の当接部４９，４９と係合可能に配置される（図９参照）。
【００６３】
このような一対の面取り部２５，２５は、電線９に引張力が加わったときに、係止部１５の係止面４７と係合面２３との係合により、係止ランス１７の反り返りによる係止部１５の上方への変位によって、係止部１５の一対の当接部４９，４９と係合される。
【００６４】
この一対の面取り部２５，２５と一対の当接部４９，４９との係合により、端子接続部７が端子収容室３内で上方へ移動され、端子接続部７の外面と端子収容室３の内面との隙間がなくなる（図１０参照）。
【００６５】
この状態では、一対の面取り部２５，２５と一対の当接部４９，４９とが係合しているので、係止ランス１７の係止部１５側がそれ以上反り返ることがなく、電線９の引張力に対する係止部１５の剪断面積が低減されることを防止することができる。
【００６６】
ところで、電線９の引張力に対する係止部１５の剪断面積は、係止部１５の係止面４７と係合面２３との当接部分、すなわち当接面積を増大させることで、大きくすることができ、係止部１５の破損を防止して、端子収容室３内における端子保持力を向上させることができる。
【００６７】
そこで、係合面２３は、一対の増幅係合面２７，２７と、突起係合面３１とを有している。
【００６８】
一対の増幅係合面２７，２７は、係合面２３において、一対の面取り部２５，２５が位置する部分に設けられている。
【００６９】
この一対の増幅係合面２７，２７は、係止ランス１７が復元され、係止部１５が穴部２１に挿入されたときに、係止部１５の係止面４７のうち一対の当接部４９，４９に位置する係止面４７と電線９の引出方向、すなわち端子収容室３からの端子１３の離脱方向に係合可能に対向して配置される。
【００７０】
このように一対の増幅係合面２７，２７を係止部１５の係止面４７と係合可能に配置させることにより、電線９に引張力が加わったときに、一対の増幅係合面２７，２７が係止面４７と当接し、端子収容室３からの端子１３の抜け止めを行うことができる。
【００７１】
このような一対の増幅係合面２７，２７は、係合面２３において、穴部２１の内部に向けて傾斜された一対の面取り部２５，２５が位置する部分に設けられているので、係合面２３を端子接続部７の幅方向両側に増大させることができる。
【００７２】
加えて、一対の増幅係合面２７，２７は、一対の面取り部２５，２５が位置する部分に設けられているので、電線９に引張力が加わったときの一対の面取り部２５，２５と一対の当接部４９，４９との当接により、一対の当接部４９，４９が位置する係止面４７と確実に係合することができ、端子１３を端子収容室３内に安定して保持することができる。
【００７３】
このように一対の増幅係合面２７，２７を設けることにより、係合面２３と係止部１５の係止面４７との当接面積を増大させることができ、電線９の引張力に対する係止部１５の剪断面積を増大させ、係止部１５の破損を防止することができ、端子収容室３内における端子保持力を向上させることができる。
【００７４】
突起係合面３１は、板部１９の穴部２１の端子収容室３への端子１３の挿入方向の縁部である穴部２１の長さ方向一端側の縁部から係止ランス１７側に向けて突設された係止突起２９に設けられている。
【００７５】
この突起係合面３１は、係止ランス１７が復元され、係止部１５が穴部２１に挿入されたときに、係止部１５の係止面４７と電線９の引出方向、すなわち端子収容室３からの端子１３の離脱方向に係合可能に対向して配置される。
【００７６】
このように突起係合面３１を係止部１５の係止面４７と係合可能に配置させることにより、電線９に引張力が加わったときに、突起係合面３１が係止面４７と当接し、端子収容室３からの端子１３の抜け止めを行うことができる。
【００７７】
このような突起係合面３１は、係合面２３において、板部１９から係止ランス１７側に向けて突設された係止突起２９に設けられているので、係合面２３を端子接続部７の高さ方向に増大させることができる。
【００７８】
加えて、突起係合面３１は、係止ランス１７側に向けて突設された係止突起２９に設けられているので、電線９に引張力が加わったときに、係止部１５の電線９の引出方向の肉厚が厚い部分、すなわち電線９の引張力に対する係止部１５の剪断面積が大きい部分に位置する係止面４７と確実に係合することができ、端子１３を端子収容室３内に安定して保持することができる。
【００７９】
このように突起係合面３１を設けることにより、係合面２３と係止部１５の係止面４７との当接面積を一対の増幅係合面２７，２７と共にさらに増大させることができ、電線９の引張力に対する係止部１５の剪断面積をさらに増大させ、係止部１５の破損を防止することができ、端子収容室３内における端子保持力をさらに向上させることができる。
【００８０】
このようなコネクタ１では、穴部２１の係合面２３の両側の縁部に、穴部２１の内部に向けて傾斜された一対の面取り部２５，２５が設けられているので、一対の面取り部２５，２５によって電線９に引張力が加わったときの係止ランス１７の反り返りを防止しつつ、係止部１５を係合面２３の一対の面取り部２５，２５が位置する部分に配置することができる。
【００８１】
この係合面２３の一対の面取り部２５，２５が位置する部分には、係止部１５と端子収容室３からの端子１３の離脱方向に係合可能な一対の増幅係合面２７，２７が設けられているので、係止部１５と係合面２３との当接面積を増大することができ、電線９の引張力に対する剪断面積を増大することができる。
【００８２】
従って、このようなコネクタ１では、係止部１５と係合面２３との当接面積を増大し、電線９の引張りによる剪断力によって係止部１５に破損が発生することを防止でき、端子収容室３内における端子保持力を向上することができる。
【００８３】
また、係止突起２９には、係合面２３が位置する部分に係止部１５と端子収容室３からの端子１３の離脱方向に係合可能な突起係合面３１が設けられているので、係止部１５と係合面２３との当接面積をさらに増大することができ、端子収容室３内における端子保持力をさらに向上することができる。
【００８４】
なお、本発明の実施の形態に係るコネクタでは、係合面において、端子接続部の高さ方向にのみ突起係合面が設けられているが、これに限らず、穴部の端子収容室への端子の挿入方向の縁部の内面を係合面とし、この係合面に加えて突起係合面を設けてもよい。
【００８５】
この場合には、穴部の縁部の係合面と、突起係合面とを、連続する一面として形成してもよいし、穴部の縁部の係合面と、突起係合面とを、独立した面として形成してもよい。
【００８６】
同様に、一対の増幅係合面と、突起係合面とを、独立した面として形成してもよく、穴部の縁部に係合面を設けた場合には、穴部の縁部の係合面と、一対の増幅係合面と、突起係合面とを、連続する一面として形成してもよいし、穴部の縁部の係合面と、一対の増幅係合面と、突起係合面とを、独立した面として形成してもよい。
【符号の説明】
【００８７】
１…コネクタ
３…端子収容室
５…ハウジング
７…端子接続部
９…電線
１１…電線接続部
１３…端子
１５…係止部
１７…係止ランス
１９…板部
２１…穴部
２３…係合面
２５…面取り部
２７…増幅係合面
２９…係止突起
３１…突起係合面
【図１】
2018206511.tif 000003
【図２】
2018206511.tif 000004
【図３】
2018206511.tif 000005
【図４】
2018206511.tif 000006
【図５】
2018206511.tif 000007
【図６】
2018206511.tif 000008
【図７】
2018206511.tif 000009
【図８】
2018206511.tif 000010
【図９】
2018206511.tif 000011
【図１０】
2018206511.tif 000012